(57)【要約】      （修正有）【課題】物体を複数角度から簡単、正確に撮影することができる物体の外観撮影システムを提供する。【解決手段】物体の外観撮影システムは、電子送信装置１、カメラ３および電子ターンテーブル２を含む。電子ターンテーブル２のＷＩＦＩ接続方式による電子送信装置１との接続は無線通信であり、電子ターンテーブル２の動きとカメラ撮影との同期を実現し、それにより、物体の複数角度のイメージを簡単および正確に撮影する。【選択図】図１
0003198817.tif 000002
【実用新案登録請求の範囲】
【請求項１】
撮影しようとする物体を撮影するカメラと；
撮影しようとする物体が置かれ、撮影しようとする物体を動かすことができる回転ステージを含む、ＷＩＦＩ信号受信機能を有する電子ターンテーブルと；
ＷＩＦＩ信号を送信することができるＷＩＦＩモジュールおよびコマンドセットのコマンドモジュールを含む電子送信装置と；を含み、電子送信装置は、ＷＩＦＩモジュールが送信するＷＩＦＩ信号により、電子ターンテーブルと無線接続され、カメラのシャッターが起動されると、電子送信装置が電子ターンテーブルにコマンドを送信し、電子ターンテーブルをコマンド設定したモードに応じて指定の角度に動くように制御し、カメラ撮影との同期を実現することを特徴とする、物体の外観撮影システム。
【請求項２】
前記カメラが、データ、コマンド伝送機能のホットシューインターフェースを有し、前記電子送信装置が、それ自体の適合インターフェースにより、ホットシューインターフェースと接続、結合され、コマンドモジュールがホットシューを通してカメラの撮影パラメータを制御することを特徴とする、請求項１に記載の物体の外観撮影システム。
【請求項３】
前記電子送信装置が、コマンドモジュールソフトウェアをインストールしたコンピュータであることを特徴とする、請求項１に記載の物体の外観撮影システム。
【請求項４】
前記コマンドモジュールソフトウェアが、カメラで撮影した写真または映像の情報を有し、自由に動かすことができ、自由に拡大縮小され、連続した物体の外観を有するイメージファイルに合成することを特徴とする、請求項３に記載の物体の外観撮影システム。
【請求項５】
前記コンピュータが、タブレットＰＣまたはスマートフォンであることを特徴とする、請求項３に記載の物体の外観撮影システム。
【請求項６】
前記指定角度が３６０度であることを特徴とする、請求項１〜５のいずれか１項に記載の物体の外観撮影システム。
【請求項７】
前記電子ターンテーブルが、カメラの撮影角度を正確に制御する赤外線位置決めモジュールをさらに含むことを特徴とする、請求項１〜５のいずれか１項に記載の物体の外観撮影システム。
【請求項８】
前記電子ターンテーブル上の回転ステージが定速で動くことを特徴とする、請求項１〜４のいずれか１項に記載の物体の外観撮影システム。
【請求項９】
前記電子ターンテーブル上の回転ステージが間欠的に動き、カメラは回転ステージが静止する瞬間に物体を撮影することを特徴とする、請求項１〜５のいずれか１項に記載の物体の外観撮影システム。
【請求項１０】
前記カメラのシャッターの起動が、前記電子送信装置による制御、またはユーザがカメラのシャッターを直接タップすることにより実現されることを特徴とする、請求項１〜５のいずれか１項に記載の物体の外観撮影システム。
【考案の詳細な説明】
【技術分野】
【０００１】
本考案は、物体の外観撮影システムに関する。
【背景技術】
【０００２】
現在、情報科学技術は発達し、製品の宣伝、普及において、１枚の写真だけで人に深い印象を与えることはすでに難しくなっている。そこで、製品の外観３６０度の撮影システムが開発されている。既存技術には２つのタイプがある。１つ目のタイプは、撮影する製品をターンテーブルに置き、デジタルカメラを用いて様々な角度から撮影した後、ソフトウェアで写真を合成し、３６０度パノラマイメージの効果を達成する。この技術において、ターンテーブル、デジタルカメラおよび作成ソフトウェアは、いずれも独立して手動で操作するため、ターンテーブルを正確に位置決めすることができず、写真を撮影するとき、完全に同期して行うこともできない。そのため、コントロールおよび撮影方位の正確さの面で、ずれが生じるのを防止することができず、したがって作成した３６０度パノラマイメージの効果には疑問が残り、操作も非常に複雑である。もう１つの技術は、コンピュータを利用し、ターンテーブルおよびデジタルカメラをデータケーブル（ｄａｔａ  ｃａｂｌｅ）により接続し、同期撮影の機能を達成する。しかし、コンピュータおよび関連操作のソフトウェアのインストールが必要であり、また、イメージまたは写真を撮影するとき、同期することはできるが、操作は相対的に複雑である。したがって、既存技術には改善が必要である。
【考案の概要】
【考案が解決しようとする課題】
【０００３】
本考案の目的は、上記既存技術の不足を克服し、物体を複数角度から簡単、正確に撮影することができる物体の外観撮影システムを提供することである。
【課題を解決するための手段】
【０００４】
物体の外観撮影システムは、撮影しようとする物体を撮影するカメラと；撮影しようとする物体が置かれ、撮影しようとする物体を動かすことができる回転ステージを含む、ＷＩＦＩ信号受信機能を有する電子ターンテーブルと；ＷＩＦＩ信号を送信することができるＷＩＦＩモジュールおよびコマンドセットのコマンドモジュールを含む電子送信装置と；を含む。電子送信装置は、ＷＩＦＩモジュールが送信するＷＩＦＩ信号により、電子ターンテーブルと無線接続され、カメラのシャッターが起動されると、電子送信装置は電子ターンテーブルにコマンドを送信し、電子ターンテーブルをコマンド設定したモードに応じて指定の角度に動くように制御し、カメラ撮影との同期を実現する。
【０００５】
本考案の物体の外観撮影システムによれば、前記カメラはデータ、コマンド伝送機能のホットシューインターフェースを有し、前記電子送信装置は、それ自体の適合インターフェースにより、ホットシューインターフェースと接続、結合され、コマンドモジュールは、ホットシューを通してカメラの撮影パラメータを制御する。
【０００６】
本考案の物体の外観撮影システムによれば、前記電子送信装置は、コマンドモジュールソフトウェアをインストールしたコンピュータである。
【０００７】
本考案の物体の外観撮影システムによれば、前記コマンドモジュールソフトウェアは、カメラで撮影した写真または映像の情報を有し、自由に動かすことができ、自由に拡大縮小され、連続した物体の外観を有するイメージファイルに合成する。
【０００８】
本考案の物体の外観撮影システムによれば、前記コンピュータはタブレットＰＣまたはスマートフォンである。
【０００９】
本考案の物体の外観撮影システムによれば、前記指定角度は３６０度である。
【００１０】
本考案の物体の外観撮影システムによれば、前記電子ターンテーブルは、カメラの撮影角度を正確に制御する赤外線位置決めモジュールをさらに含む。
【００１１】
本考案の物体の外観撮影システムによれば、前記電子ターンテーブル上の回転ステージは定速で動く。
【００１２】
本考案の物体の外観撮影システムによれば、前記電子ターンテーブル上の回転ステージは間欠的に動き、カメラは回転ステージが静止する瞬間に物体を撮影する。
【００１３】
本考案の物体の外観撮影システムによれば、前記カメラのシャッターの起動は、前記電子送信装置による制御、またはユーザがカメラのシャッターを直接タップすることにより実現される。
【００１４】
本考案が提供する物体の外観撮影システムにおいて、電子ターンテーブルのＷＩＦＩ接続方式による電子送信装置との接続は無線通信であり、電子ターンテーブルの動きとカメラ撮影との同期を実現し、それにより物体の複数角度のイメージを簡単および正確に撮影する。改善として、実施例２はさらにこれらのイメージファイルを処理することができる。自由に動かすことができ、自由に拡大縮小することができ、連続した物体の外観を有するイメージファイルに合成される。
【図面の簡単な説明】
【００１５】
本考案の具体的な構造をより明確に説明するため、以下に図を組み合わせて本考案について詳細に記載する。
【図１】図１は、本考案の物体の外観撮影システムにおける一実施例の構造概要図である。
【図２】図２は、本考案の電子ターンテーブルの分解図である。
【図３】図３は、本考案の物体の外観撮影システムにおけるもう１つの実施例の構造概要図である。
【考案を実施するための形態】
【実施例】
【００１６】
本考案を理解しやすくするため、以下に、図を組み合わせて、本考案の具体的な好ましい実施例について詳細な説明を行う。
【００１７】
図１に示すように、本考案の物体の外観３６０度撮影システムの一実施例において、前記システムは、電子送信装置１、カメラ３および電子ターンテーブル２を含む。
【００１８】
図２は電子ターンテーブル２の分解図であり、ベースプレート２３、駆動プレート２２、回転ステージ２１および電子モジュール２４からなり、駆動プレート２２、回転ステージ２１および電子モジュール２４は、ベースプレート２３に取り付けられる。駆動プレート２２は、回転ステージ２１を駆動して回転運動させることができ、電子モジュール２４は、ＷＩＦＩ接続を実現するＷＩＦＩモジュール、赤外線位置決めモジュール、音声指示装置を含む。ＷＩＦＩモジュールは、コマンドを送信して駆動プレート２２の回転の制御、カメラ３撮影の制御を行うことができ、回転ステージ２１の回転およびカメラ３撮影の同期を実現する。赤外線位置決めモジュールは、回転ステージ２１の回転速度および角度を正確に制御することができ、音声指示装置は回転ステージが動く状態を示し、音声通知を発する。
【００１９】
電子送信装置１は、ＷＩＦＩ信号を送信することができるＷＩＦＩモジュールと、コマンドセットのコマンドモジュールとを含む。電子送信装置１は、ＷＩＦＩモジュールが送信するＷＩＦＩ信号により、電子ターンテーブル２と無線接続される。
【００２０】
カメラ３は画像または映像を撮影し、データ、コマンド伝送機能を有するインターフェースであるホットシュー３１が設置される。ホットシュー３１は、電子送信装置１の結合ポート１２と接続、結合され、両者の撮影情報または撮影コマンドの交換を実現する。電子ターンテーブル２はＷＩＦＩ接続機能を有し、ＷＩＦＩ信号により電子送信装置と無線接続することができ、コマンドの伝達を実現する。
【００２１】
物体の外観３６０度撮影システムは、写真撮影モードおよび映像撮影モードを有し、写真撮影モードでは一周で撮影する写真の枚数を１８枚、３６枚、７２枚などに設定することができる。
【００２２】
７２枚撮影モードは以下のような動作である。電子送信装置１のコマンドを間欠的に７２回、３６０度動くモードに設定する。該モードでは、カメラのシャッターが起動されると、電子送信装置１のコマンドが電子ターンテーブル２に送信され、回転ステージ２１が初期位置まで回転するように制御され、音声通知を発する。続いて、回転ステージ２１がコマンドに基づいて、間欠的に７２回動き、１周回転すると同時に、カメラ３は、回転ステージ２１の静止時に、撮影しようとする物体５を７２枚同期して撮影する。音声指示装置はシャッターが起動されると、動作し始める出発点で通知音を発し、撮影開始を知らせる。間欠運動中に静止するたび、また、最後の一周回転し終えるときに、音声通知を発して注意を促す。
【００２３】
映像撮影モードは以下のような動作である。電子送信装置１のコマンドを映像撮影モードに設定する。該モードでは、カメラのシャッターが起動されると、電子送信装置１のコマンドが電子ターンテーブル２に送信され、回転ステージ２１が初期位置まで回転するように制御され、音声通知を発する。続いて、回転ステージ２１がコマンドに基づいて、定速で一周回転すると同時に、カメラ３は撮影しようとする物体５を同期して映像撮影する。音声指示装置はシャッターが起動されると、動作し始める出発点で通知音を発し、撮影開始の注意を促す。１周回転し終えるときも音声通知を発して注意を促す。
【００２４】
図３に示すように、本考案のもう１つの実施例において、前記物体の外観３６０度撮影システムは、電子送信装置であるスマートフォン４、画像または映像を撮影するカメラ３および電子ターンテーブル２を含む。
【００２５】
電子ターンテーブル２は、前の一実施例における構造、原理と基本的に同じである。図２の分解図を参照のこと。ベースプレート２３、駆動プレート２２、回転ステージ２１および電子モジュール２４からなり、駆動プレート２２、回転ステージ２１および電子モジュール２４はベースプレート２３に取り付けられる。駆動プレート２２は回転ステージ２１を駆動して回転運動させることができ、電子モジュール２４は、ＷＩＦＩ接続を実現するＷＩＦＩモジュール、赤外線位置決めモジュール、音声指示装置を含む。ＷＩＦＩモジュールは、コマンドを送信して駆動プレート２２の回転を制御することができる。赤外線位置決めモジュールは、回転ステージ２１の回転速度および角度を正確に制御することができ、音声指示装置は、回転ステージが動く状態を示し、音声通知を発する。
【００２６】
スマートフォン４は、ＷＩＦＩ信号を送信することができるＷＩＦＩモジュールと、コマンドセットのコマンドモジュールとを含む。スマートフォン４は、ＷＩＦＩモジュールが送信するＷＩＦＩ信号により、電子ターンテーブル２と無線接続され、カメラ３を組み合わせて、手動で画像の撮影または映像撮影を行う。カメラ３は、前記得られた画像および映像から、本システムが提供するコンピュータソフトウェアによって映像を合成する。該ソフトウェアは、カメラで撮影した写真を、タッチ制御することができ、自由に動かすことができ、自由に拡大縮小することができ、３６０度の物体の外観を有するイメージファイルに合成することができ、該イメージファイルは１Ｍ前後に制御することができる。
【００２７】
さらに、前記スマートフォンは、タブレットＰＣ、ＩＰＡＤなどを用いて代替することができる。
【００２８】
以上、本考案の実施例が提供する技術案について詳細に示し、本文中で具体的な例を用いて、本考案の実施例の原理および実施方式について詳述した。以上の実施例の説明は、本考案の実施例の原理および構造を理解しやすくするために適用したに過ぎず、さらに、当業者は、本考案の実施例に基づいて、考案を実施するための形態および応用の範囲において、改良および／または修正を行うことができる。すべての改良および／または修正は、いずれも本考案の実用新案登録請求の保護範囲内にある。
【図１】
0003198817.tif 000003
【図２】
0003198817.tif 000004
【図３】
0003198817.tif 000005